(57)【要約】      （修正有）【課題】強風等にたわむことなく耐えることができるとともに、地震等による揺れ動きを吸収できる壁面用目地装置を提供する。【解決手段】左右方向の一方と他方の躯体３、４間の目地部２を塞ぐ壁面用目地装置１であって、一方の躯体３にその一端部が取付けられ、その他端部が他方の躯体４に取り付けられ、複数個の取付部６をそれぞれ有する複数個の伸縮リンク機構７と、取付部６にそれぞれ取り付けられ、かつ、上下方向に延在する複数の取付部材８と、複数の取付部材８に一端部がそれぞれ固定され、目地部２を塞ぐ複数の目地カバー９と、一方の躯体３にその一端部が取り付けられているとともに、他方の躯体４に他端部が取り付けられ、かつ、左右方向に伸縮可能で取付部材８を後方から支持する複数個の支持アーム１０と、支持アーム１０にその両端部が取り付けられ、伸縮リンク機構７を後方から支持する複数個の補助リンク部材１１とから構成される。【選択図】図１
2020193467.tif 000002
【特許請求の範囲】
【請求項１】
左右方向の一方と他方の躯体間の目地部を塞ぐ壁面用目地装置であって、前記一方の躯体にその一端部が取付けられ、その他端部が他方の躯体に取り付けられ、複数個の取付部をそれぞれ有する複数個の伸縮リンク機構と、前記取付部にそれぞれ取り付けられ、かつ、上下方向に延在する複数の取付部材と、前記複数の取付部材に一端部がそれぞれ固定され、前記目地部を塞ぐ複数の目地カバーと、前記一方の躯体にその一端部が取り付けられているとともに、前記他方の躯体に他端部が取り付けられ、かつ、左右方向に伸縮可能で前記取付部材を後方から支持する複数個の支持アームと、前記支持アームにその両端部が取り付けられ、前記伸縮リンク機構を後方から支持する複数個の補助リンク部材とから構成され、
前記伸縮リンク機構は、枢支部を介して連結され、かつ、それぞれ前記複数個の取付部を有する２つのリンク部を有し、一方、前記補助リンク部材は、左右方向のほぼ中央部に中央枢支部を有し、前記中央枢支部が前記伸縮リンク機構の前記枢支部を後方からそれぞれ支持する壁面用目地装置。
【請求項２】
前記支持アームは、その両端部が上下方向に回動可能に前記左右の躯体に取り付けられていることを特徴とする請求項１記載の壁面用目地装置。
【請求項３】
前記支持アームは、その突出端部が前記目地部の略中央部付近に位置する角筒状の支持アーム本体と、前記支持アーム本体の内部に左右方向に移動可能に挿入される単数又は複数の伸縮アームとで構成され、
上下方向に隣り合う前記支持アームでは、前記支持アーム本体が互いに対向するように前記一方又は他方の躯体に取り付けられていることを特徴とする請求項１又は請求項２のいずれかに記載の壁面用目地装置。
【請求項４】
前記支持アーム本体は、断面視において略正方形状又は略矩形状に形成されていることを特徴とする請求項１乃至請求項３のいずれかに記載の壁面用目地装置。
【発明の詳細な説明】
【技術分野】
【０００１】
本発明は目地部を介して設けられた左右方向の一方と他方の躯体間の目地部を塞ぐ壁面用目地装置に関する。
【背景技術】
【０００２】
従来の壁面用目地装置は、例えば、「目地部を介して設けられた左右の建物の目地部側の外壁面に両端部が枢支された中央部に３個の中央枢支部を有する、少なくとも２個以上の伸縮リンク機構と、これらの伸縮リンク機構の両側部の中央枢支部に、内側プレートの中央部に固定された枢支ピンで枢支された前記左右の建物側が開口するコ字状のカバープレートと、このカバープレートの外側プレートと接触するようにスライド移動して内部へ先端部が挿入された前記伸縮リンク機構の両端部の枢支部に枢支された端部カバープレートと、前記伸縮リンク機構の中央部の中央枢支部に枢支された両端部が、前記カバープレートの外側プレートと重なり、スライド移動できる中央カバープレートとからなることを特徴とする壁用目地カバー装置」が知られている。
【０００３】
しかし、このような壁面用目地装置では、例えば目地部の寸法が上下方向に大きくなり、カバープレート等で塞ぐ長さが上下方向に長くなった場合、強風等による影響が大きくなるためカバープレートやカバープレートを取り付けるバー状の取付部材がたわんでしまう欠点があった。
【０００４】
また、多数の伸縮リンク機構を上下方向に設けてカバープレートや取付部材のたわみを防止しようとしても、目地部の左右方向の寸法も大きい場合には、特許文献１のような複数個のリンク部を有する伸縮リンク機構では、その中央部付近がたわんで下方に変位してしまい、このような伸縮リンク機構では、複数個の枢支部がそれぞれたわむため、多数の伸縮リンク機構を上下方向に設けたとしても、強風等による前後方向のたわみを防止することは難しかった。
【０００５】
一方、１つのリンク部のみを有し、この１つのリンク部に複数個の枢支部を設けた伸縮リンク機構では、リンク部の寸法が大きくなってしまい、上下方向に多数の伸縮リンク機構を設けることが難しかった。
【先行技術文献】
【特許文献】
【０００６】
【特許文献１】特開２０１５−１１１１号公報
【発明の概要】
【発明が解決しようとする課題】
【０００７】
本発明は以上のような従来の欠点に鑑み、強風等にたわむことなく耐えることができるとともに、地震等による揺れ動きを吸収できる壁面用目地装置を提供することを目的としている。
【０００８】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００９】
上記目的を達成するために、本発明の請求項１に記載の壁面用目地装置は、左右方向の一方と他方の躯体間の目地部を塞ぐ壁面用目地装置であって、前記一方の躯体にその一端部が取付けられ、その他端部が他方の躯体に取り付けられ、複数個の取付部をそれぞれ有する複数個の伸縮リンク機構と、前記取付部にそれぞれ取り付けられ、かつ、上下方向に延在する複数の取付部材と、前記複数の取付部材に一端部がそれぞれ固定され、前記目地部を塞ぐ複数の目地カバーと、前記一方の躯体にその一端部が取り付けられているとともに、前記他方の躯体に他端部が取り付けられ、かつ、左右方向に伸縮可能で前記取付部材を後方から支持する複数個の支持アームと、前記支持アームにその両端部が取り付けられ、前記伸縮リンク機構を後方から支持する複数個の補助リンク部材とから構成され、前記伸縮リンク機構は、枢支部を介して連結され、かつ、それぞれ前記複数個の取付部を有する２つのリンク部を有し、一方、前記補助リンク部材は、左右方向のほぼ中央部に中央枢支部を有し、前記中央枢支部が前記伸縮リンク機構の前記枢支部を後方からそれぞれ支持することを特徴とする。
【００１０】
請求項２に記載の壁面用目地装置の前記支持アームは、その両端部が上下方向に回動可能に前記左右の躯体に取り付けられていることを特徴とする。
【００１１】
請求項３に記載の壁面用目地装置の前記支持アームは、その突出端部が前記目地部の略中央部付近に位置する角筒状の支持アーム本体と、前記支持アーム本体の内部に左右方向に移動可能に挿入される単数又は複数の伸縮アームとで構成され、
上下方向に隣り合う前記支持アームでは、前記支持アーム本体が互いに対向するように前記一方又は他方の躯体に取り付けられていることを特徴とする。
【００１２】
請求項４に記載の壁面用目地装置の前記支持アーム本体は、断面視略正方形状に形成されていることを特徴とする。
【発明の効果】
【００１３】
以上の説明から明らかなように、本発明にあっては次に列挙する効果が得られる。
（１）請求項１に記載の発明においては、補助リンク部材及び支持アームを設けているので、目地カバーを取り付ける取付部材を後方から支持できる。
したがって、目地部の寸法が大きくなっても強風等による目地カバーや取付部材のたわみを防止することができる。
（２）伸縮リンク機構は枢支部を介して連結された２つのリンク部を有しているので、目地部の左右方向の寸法が大きくなっても上下方向の寸法を抑えることができる。したがって、上下方向に多数の伸縮リンク機構を取り付けることができる。
それ故に、取付部材等を多数の伸縮リンク機構で支持することができ、たわみを防止することができる。
（３）また、伸縮リンク機構は１つの枢支部を介して連結された２つのリンク部で構成されているので、枢支部を複数個有するリンク機構と比べて、あそびが少なく、リンク機構自体が取付部材や目地カバーの重みにより下方へたわむことを防止できる。
（４）請求項２に記載の発明においては、前記（１）〜（３）と同様な効果が得られると共に、地震によって左右の躯体が異なる上下方向に揺れ動いた場合にも、その揺れ動きに追従することができる。
（５）請求項３に記載の発明においては、前記（１）〜（４）と同様な効果が得られると共に、支持アーム本体によって左右方向に所定間隔を隔てて複数個設けられた取付部材を略均等に支持することができる。
（６）請求項４に記載の発明においては、前記（１）〜（５）と同様な効果が得られると共に、強風等により加えられる前後方向の荷重をより確実に受けることができる。
【図面の簡単な説明】
【００１４】
図１乃至図７は本発明の第１の実施形態を示す説明図である。
図８乃至図１０は本発明の第２の実施形態を示す説明図である。
【図１】第１の実施形態の壁面用目地装置の正面図。
【図２】図１の２−２線断面図。
【図３】伸縮リンク機構の説明図。
【図４】補助リンク部材の説明図。
【図５】支持アームの説明図。
【図６】地震等によって目地部が狭くなるように揺れ動いた場合の動作説明図。
【図７】地震等によって目地部が広くなるように揺れ動いた場合の動作説明図。
【図８】第２の実施形態の壁面用目地装置の正面図。
【図９】図８の９−９線断面図。
【図１０】支持アームの説明図。説明図。
【発明を実施するための形態】
【００１５】
以下、図面に示す本発明を実施するための形態により、本発明を詳細に説明する。なお、本明細書では図１を基準として左右方向（水平方向）、上（図面上方）下（図面下方）方向という。図２を基準として前（図面下）後（図面上）方向という。
また、本発明において躯体とは、建物、スラブ、エレベーターシャフト、屋根等の建造物をいう。
【００１６】
図１乃至図８に示す本発明を実施するための第１の形態において、１は本実施の形態においては、目地部２を介して設けられた左右の躯体３、４間に設置された壁面用目地装置である。本実施の形態においては、左側の躯体を一方の躯体３、右側の躯体を他方の躯体４として説明する。
【００１７】
この壁面用目地装置１は、一方の躯体にその一端部がヒンジ部材５を介して取付けられ、その他端部がヒンジ部材５を介して他方の躯体に取り付けられ、複数個の取付部６をそれぞれ有する複数個の略菱形状の伸縮リンク機構７と、前記伸縮リンク機構７の前記取付部６にそれぞれ取り付けられた上下方向に延在する複数の取付部材８と、前記複数の取付部材８に一端部がそれぞれ固定され、前記目地部２を塞ぐ複数の目地カバー９と、前記一方の躯体３にその一端部が前後方向に回動可能に取り付けられ、前記他方の躯体４に他端部が前後方向に回動可能に取り付けられ、前記取付部材８を後方から支持する複数個の支持アーム１０と、前記支持アーム１０に両端部が取り付けられ、前記伸縮リンク機構７を後方から支持する複数個の補助リンク部材１１とで構成されている。
【００１８】
伸縮リンク機構７は、本実施形態では、左右の躯体３、４間にヒンジ部材５を介して取り付けられており、枢支部１２を介して連結され、かつ、それぞれ複数個の取付部６を有する２つのリンク部１３を有している。
【００１９】
この取付部６は、リンク部１３を構成するバー部材１３ａのうち対向するバー部材１３ａに両端部が枢支された複数個のアーム部材１４にそれぞれ透孔状に設けられており、伸縮リンク機構７が左右方向に伸縮した場合においても上下方向に移動しない部位（リンク部の上下方向の略中央部）に形成されている。
【００２０】
この２つのリンク部１３は、枢支部１２を介して連結されており、この枢支部１２は、常時目地部２の略中央部に位置する。
【００２１】
また、この枢支部１２と前記複数個の取付部６は、通常時や左右の躯体３、４が地震によって左右方向に揺れ動いた場合にも、伸縮リンク機構７やリンク部１３の上下方向の略中央に位置するように設けられている。
この伸縮リンク機構７は、目地部２の上下方向に所定間隔を隔てて複数個設けられている。
【００２２】
２つのリンク部１３を枢支部１２を介して連結することにより、目地部２の左右方向の寸法が大きくなっても、伸縮リンク機構７の上下方向の寸法を抑えることができ、１つのリンク部１３で構成される伸縮リンク機構よりも多く設けることができる。
【００２３】
また、枢支部１２は、枢支ピン１５により枢支され、回動するという性質上、枢支部１２の透孔と枢支ピン１５の軸径にわずかな間隙が必要であり、３つ以上のリンク部１３を複数個の枢支部１２で連結する伸縮リンク機構に比べて、伸縮リンク機構が取付部材８や目地カバー９の重みで下方へ弓形に変位を小さくすることができる。
【００２４】
取付部材８は、本実施形態では、角筒又は角柱状で上下方向に延在するバー部材で、上下方向に複数個設けられた伸縮リンク機構７の取付部６にそれぞれ取付ピン等により略垂直状態で取り付けられる。なお、伸縮リンク機構７の枢支部１２は、リンク部１３を連結するだけでなく、取付部６としての機能も有しており、この枢支部１２にも取付部材８が取り付けられる。また、ヒンジ部材５が連結されている端部枢支部１２ａについてもヒンジ部材５を連結するだけでなく、取付部６としての機能も有しており、この端部枢支部１２ａにも取付部材８が取り付けられる。
【００２５】
目地カバー９は、本実施形態では、上下方向に延在し、断面視において略クランク形状の板材で、その一端部が前記取付部材８に固定される。
この目地カバー９は複数この取付部材８にそれぞれ取り付けられており、隣り合う目地カバー９同士が重なり合い、目地部２を塞いでいる。
【００２６】
支持アーム１０は、その突出端部が前記目地部の略中央部付近に位置する角筒状の支持アーム本体１６と、前記支持アーム本体１６の内部に左右方向に移動可能に挿入される単数又は複数、本実施形態では、２つの伸縮アーム１７とで構成されており、いわゆる振出竿のように支持アーム本体１６に伸縮アーム１７が出没自在に取り付けられている。
【００２７】
この支持アーム１０は、上下方向に隣り合う前記支持アーム１０では、前記支持アーム本体１６が互いに対向するように一方又は他方の躯体３、４に取り付けられている。すなわち、上下に隣り合う支持アーム１０は、その向きが逆向きとなるように設けられている。
【００２８】
支持アーム本体１６は、角筒状の部材で、断面視において略正方形状又は前後方向に長い略長方形状（略矩形状）に形成されている。本実施形態では、断面視において略正方形状に形成されている。
【００２９】
また、支持アーム本体１６の内部には、伸縮アーム１７がスムーズにスライド移動できるようにローラー等の滑動部材１８が設けられている。この滑動部材１８は、伸縮アーム１７にかかる上下及び前後方向の荷重を支持できるように、支持アーム本体１６の内周面の上下方向及び前後方向に設けられている。
【００３０】
ところで、支持アーム本体１６は、その突出端部が略中央部付近に位置するように形成されているが、この支持アーム本体１６において「突出端部が略中央部付近に位置する」とは、その突出端部が中央部又は中央部を超えてやや対向する躯体方向に突出した状態をいうものである。
【００３１】
伸縮アーム１７は、本実施形態では、３つのバー状の部材が用いられており、中間に位置する２つの伸縮アーム１７（説明の便宜上、以下、中間伸縮アーム１７ａという）と、一端が一方又は他方の躯体３、４に取り付けられる伸縮アーム１７（説明の便宜上、以下、端部伸縮アーム１７ｂという）とで構成されている。
なお、伸縮アーム１７を３つ以上用いる場合には、中間伸縮アーム１７ａの数を増加させる。
また、伸縮アーム１７が１つの場合には、端部伸縮アーム１７ｂのみを用いる。
【００３２】
中間伸縮アーム１７ａは、支持アーム本体１６と相似形の断面形状を有する角筒状の部材であり、この中間伸縮アーム１７ａの一端部は、前記支持アーム本体１６の内部に挿入されるとともに、他端部側の内部にはこの中間伸縮アーム１７ａよりも断面積の小さい中間伸縮アーム１７ａ又は端部伸縮アーム１７ｂが挿入される。
【００３３】
この中間伸縮アーム１７ａの他端部側の端部付近の内周面の上下方向及び前後方向に滑動部材１８が設けられており、また、一端部（前記支持アーム本体１６に挿入される端部）側の端部付近の外周面にも滑動部材１８が設けられている。
【００３４】
端部伸縮アーム１７ｂは、角筒状又は角柱状の部材であり、本実施形態では、断面視略正方形状の角柱状のバー部材で、一端部が一方又は他方の躯体３、４に前後方向に回動可能に取り付けられ、他端部が前記中間伸縮アーム１７ａに挿入されている。この他端部付近には滑動部材１８が設けられている。
【００３５】
このように支持アーム本体１６や伸縮アーム１７にそれぞれ滑動部材１８を設けることにより、左右方向に支持アーム１０が伸縮する際のスライド移動をスムーズに行うことができるとともに、支持アーム１０にかかる荷重を分散させることができる。
支持アーム本体１６は、その一側面が前記取付部材８に略当接しており、取付部材８にかかる荷重を後方から支持する。前述したように上下に隣り合う支持アーム１０は、その向きが逆向きとなるように設けることにより、複数個の取付部材８を均等に支持することができる。
【００３６】
ところで、「略当接する」とはぴったりと当接している状態及びわずかな間隙を有して接近している場合を含むものである。わずかな間隙を有して取付部材８と支持アーム本体１６が接近している場合には、風等の荷重を受けてわずかに取付部材８がわずかに変位した際にその荷重を支持することで、ほとんどたわむことなく支持できるとともに、取付部材８が変位しない状態であっても、後述するように補助リンク部材１１を介して伸縮リンク機構７を支持することにより、間接的に取付部材８を支持することができる。
なお、好適には支持アーム本体１６と取付部材８とが接触（当接）状態であることが望ましい。
【００３７】
支持アーム１０は、その両端部が前後方向に回動可能な取付具１９を介して取り付けられている。この取付具１９は、例えば躯体３、４の壁面に固定されるアングル状の取付金具２０と、この取付金具２０に固定され、支持アーム１０を前後方向に回転可能に軸支する回転軸２１とで構成される。支持アーム１０の両端（支持アーム本体１６の一端部と端部伸縮アーム１７ｂの一端部）がこの回転軸２１に回転可能に軸支されている。
【００３８】
補助リンク部材１１は、本実施形態では、その略中央部に中央枢支部２２を有しており、この中央枢支部２２が目地部２の略中央部に位置するように上下に隣り合う支持アーム１０の支持アーム本体１６にその上下端部が取り付けられている。
【００３９】
なお、この補助リンク部材１１は、断面視略コ字状の対向するアームの内側に、角柱状のアームを枢支ピンにより枢支してリンク部を形成している。
また、補助リンク部材１１はこの中央枢支部２２が複数個の伸縮リンク機構７の枢支部１２に設けられた枢支ピン１５と同軸となるように複数個取り付けられ、中央枢支部２２にこの枢支ピン１５を連結することによって伸縮リンク機構７の枢支部１２を後方から支持している。
【００４０】
このように補助リンク部材１１が伸縮リンク機構７の枢支部１２を後方からそれぞれ支持することにより、伸縮リンク機構７の前後方向の強度が高くなり、目地カバー９が強風等による荷重を受けた場合でも、たわむことなく支持することができる。
【００４１】
また、中央枢支部２２と枢支部１２とを連結して支持する場合には、前後方向だけでなく、上下方向、すなわち、取付部材８や目地カバー９の自重も分散して支持することができ、伸縮リンク機構７の上下方向の変位も防止することができる。
【００４２】
地震等によって目地部が狭くなるように左右の躯体３、４が揺れ動いた場合には、図６に示すように、伸縮リンク機構７及び支持アーム１０が左右方向に縮むとともに、隣り合う目地カバー９同士の重なり幅が大きくなって、地震による揺れ動きを吸収する。なお、このとき補助リンク部材１１は上下の支持アーム１０にその両端部（上下端部）が取り付けられているため、この両端部が支持アーム本体１６の移動に伴い左右方向にスライド移動するが補助リンク部材１１のリンク部が略ひし形状に変形し、中央枢支部２２は目地部２の略中央部に位置する。
【００４３】
地震等によって目地部が広くなるように左右の躯体３、４が揺れ動いた場合には、図７に示すように、伸縮リンク機構７及び支持アーム１０が左右方向に伸長するとともに、隣り合う目地カバー９同士の重なり幅が小さくなって、地震による揺れ動きを吸収する。このときも目地部２が狭くなったときと同様に、補助リンク部材１１の中央枢支部２２は目地部２の略中央部に位置する。
【００４４】
なお、図示しないが、地震等によって左右の躯体３、４が異なる前後方向に揺れ動いた場合には、伸縮リンク機構７はヒンジ部材５を支点に前後方向に回動するとともに、支持アーム１０は取付具１９を支点に前後方向に回動し、地震による揺れ動きを吸収する。
【００４５】
[発明を実施するための異なる形態]
次に、図９乃至図１１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００４６】
図９乃至図１１に示す本発明を実施するための第２の形態において、前記本発明を実施するための第１の形態と主に異なる点は、支持アーム１０を上下前後方向に回動可能な取付具１９Ａを用いて取り付けた点で、このような壁面用目地装置１Ａにしても、前記本発明を実施するための第１の形態と同様の作用効果を得ることができるとともに、左右の躯体が異なる上下方向に揺れ動いた場合であっても、その揺れ動きを吸収することができる。
【００４７】
本実施形態の取付具１９Ａは、透孔が形成され、左右の躯体の壁面に固定されるベース部材２３と、このベース部材２３の透孔に前後方向に回動自在に挿入される挿入部２４を有するとともに、支持アーム１０を上下方向に回動可能に軸支する回転軸２１を有する取付金具２０Ａとで構成されている。
【００４８】
地震等によって左右の躯体３、４が異なる上下方向に揺れ動いた場合には、伸縮リンク機構７はヒンジ部材５付近の枢支ピン１５を支点に上下方向に回動するとともに、支持アーム１０は取付具１９を支点に上下方向に回動し、地震による揺れ動きを吸収する。
【００４９】
なお、本発明の実施形態において、伸縮リンク機構及び前記支持アームは、それぞれその両端部が前後方向や上下方向に回動可能に前記左右の躯体に取り付けられている形態について説明したが、地震によって左右の躯体が前後方向等に揺れ動かない場合には、ヒンジ部材等を介さず、その両端部を固定的に取り付けてもよい。
【００５０】
また、目地カバーは、略アングル状のものを用いたが、例えば、左右方向の中央部に位置する目地カバーを断面視略Ｔ字状の目地カバーとして、その他の目地カバーを略アングル状としてもよいし、その他の形状の目地カバーを用いてもよい。
【産業上の利用可能性】
【００５１】
本発明は壁面用目地装置を製造する産業で利用される。
【符号の説明】
【００５２】
１、１Ａ：壁面用目地装置、          ２：目地部、
３：一方の躯体、                    ４：他方の躯体、
５：ヒンジ部材、                    ６：取付部、
７：伸縮リンク機構、                ８：取付部材、
９：目地カバー、                    １０：支持アーム、
１１：補助リンク部材、              １２：枢支部、
１３：リンク部、                    １４：アーム部材、
１５：枢支ピン、                    １６：支持アーム本体、
１７：伸縮アーム、                  １８：滑動部材、
１９、１９Ａ：取付具、              ２０、２０Ａ：取付金具、
２１：回転軸、                      ２２：中央枢支部、
２３：ベース部材。
【図１】
2020193467.tif 000003
【図２】
2020193467.tif 000004
【図３】
2020193467.tif 000005
【図４】
2020193467.tif 000006
【図５】
2020193467.tif 000007
【図６】
2020193467.tif 000008
【図７】
2020193467.tif 000009
【図８】
2020193467.tif 000010
【図９】
2020193467.tif 000011
【図１０】
2020193467.tif 000012
【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
左右方向の一方と他方の躯体間の目地部を塞ぐ壁面用目地装置であって、前記一方の躯体にその一端部が取付けられ、その他端部が他方の躯体に取り付けられ、複数個の取付部をそれぞれ有する複数個の伸縮リンク機構と、前記取付部にそれぞれ取り付けられ、かつ、上下方向に延在する複数の取付部材と、前記複数の取付部材に一端部がそれぞれ固定され、前記目地部を塞ぐ複数の目地カバーと、前記一方の躯体にその一端部が取り付けられているとともに、前記他方の躯体に他端部が取り付けられ、かつ、左右方向に伸縮可能で前記取付部材を後方から支持する複数個の支持アームと、前記支持アームにその両端部が取り付けられ、前記伸縮リンク機構を後方から支持する複数個の補助リンク部材とから構成され、
前記伸縮リンク機構は、枢支部を介して連結され、かつ、それぞれ前記複数個の取付部を有する２つのリンク部を有し、一方、前記補助リンク部材は、左右方向のほぼ中央部に中央枢支部を有し、前記中央枢支部が前記伸縮リンク機構の前記枢支部を後方からそれぞれ支持する壁面用目地装置。
【請求項２】
前記支持アームは、その両端部が上下方向に回動可能に前記左右の躯体に取り付けられていることを特徴とする請求項１記載の壁面用目地装置。
【請求項３】
前記支持アームは、その突出端部が前記目地部の略中央部付近に位置する角筒状の支持アーム本体と、前記支持アーム本体の内部に左右方向に移動可能に挿入される単数又は複数の伸縮アームとで構成され、
上下方向に隣り合う前記支持アームでは、前記支持アーム本体が互いに対向するように前記一方又は他方の躯体に取り付けられていることを特徴とする請求項１又は請求項２のいずれかに記載の壁面用目地装置。
【請求項４】
前記支持アーム本体は、断面視において略正方形状又は略矩形状に形成されていることを特徴とする請求項３に記載の壁面用目地装置。